(57)【要約】      （修正有）【課題】ベルマウスの管共鳴によって生じる騒音を低減することができる空調室外機を提供する。【解決手段】送風ファン２と、送風ファン２を収容する中空の円柱形状のベルマウス３とを備える空調室外機１であって、ベルマウス３の側周壁に貫通孔が設けられ、貫通孔は、ベルマウス３内に生じる音の特定周波数によって定まる所定領域に設けられており、貫通孔は、ベルマウス３の側周壁の外側が吸音部材５で覆われていることを特徴とする空調室外機１。【選択図】図１
2015121345.tif 000002
【特許請求の範囲】
【請求項１】
送風ファンと、
前記送風ファンを収容するベルマウスとを備える空調室外機であって、
前記ベルマウスの側周壁に貫通孔が設けられ、
前記貫通孔は、前記ベルマウス内に生じる音の特定周波数によって定まる所定領域に設けられていることを特徴とする空調室外機。
【請求項２】
前記貫通孔は、前記ベルマウスの側周壁の外側が吸音部材で覆われていることを特徴とする請求項１記載の空調室外機。
【請求項３】
前記貫通孔は、前記ベルマウスの軸方向と垂直な方向に沿って複数設けられていることを特徴とする請求項１又は２記載の空調室外機。
【請求項４】
前記特定周波数は、２００Ｈｚ以上８００Ｈｚ以下であり、
前記所定領域は、前記ベルマウスの管長の中心線を含む領域であることを特徴とする請求項１、２又は３記載の空調室外機。
【請求項５】
前記貫通孔を形成して相対する一対の壁面のうち、前記送風ファンの回転方向の下流側であって前記ベルマウスの側周壁の内側に配置する先端部には、丸みが設けられていることを特徴とする請求項１、２、３又は４記載の空調室外機。
【請求項６】
複数の前記貫通孔のうち少なくとも一部において、前記貫通孔を形成して相対する一対の壁面の高さは、前記送風ファンの回転方向下流側に配置する壁面の高さが、上流側に配置する壁面の高さよりも低くなる部分を備えることを特徴とする請求項１、３、４又は５記載の空調室外機。
【発明の詳細な説明】
【技術分野】
【０００１】
この発明は、空調室外機に関するものである。
【背景技術】
【０００２】
空調室外機において、騒音を防止することは恒常的な課題であり、この課題を解決するために、例えば特許文献１に記載された送風機がある。
【０００３】
特許文献１記載の送風機は、ベルマウスと羽車を備えるものであって、ベルマウスの傾斜角度を適宜変化させることにより、該騒音を低減したものである。
【先行技術文献】
【特許文献】
【０００４】
【特許文献１】特開２０１０−１１２２０４号公報
【発明の概要】
【発明が解決しようとする課題】
【０００５】
しかしながら、特許文献１に記載された送風機では、ベルマウス内を周回する風の管共鳴によって生じる騒音を低減することはできない。また、該管共鳴によって生じる騒音は、ベルマウスの管長に比例して大きくなる。
【０００６】
本発明は、上記問題を鑑みてなされたものであり、ベルマウスの管共鳴によって生じる騒音を低減することができる空調室外機を提供することをその主たる目的とするものである。
【課題を解決するための手段】
【０００７】
本発明の空調室外機は、送風ファンと、前記送風ファンを収容するベルマウスとを備える空調室外機であって、前記ベルマウスの側周壁に貫通孔が設けられ、前記貫通孔は、前記ベルマウス内に生じる音の特定周波数によって定まる所定領域に設けられていることを特徴とする。
【０００８】
このような構成により、送風ファンによってベルマウス内を周回する風の一部が貫通孔から抜けていくので、ベルマウス内を周回する風の管共鳴によって生じる騒音を低減することができる。
また、この管共鳴の周波数は、ベルマウスの管の長さや径等によってベルマウス毎に異なる。そのため、ベルマウス毎に予め問題となる管共鳴の周波数を式から導き出し、実験結果や解析結果等を用いて、該周波数が本当に問題となる管共鳴の周波数か否かを確認する。そして、管共鳴の周波数である場合には、該周波数を特定周波数として、この特定周波数によって定まる所定領域、具体的には、特定周波数から１／４波長となる長さを計算し、ベルマウスの管長のうち、その計算した長さと同じ位置（所定領域）をふくむように貫通孔を設けることにより、ユーザが望む周波数帯の音を低減することができる。
【０００９】
なお、本発明では特定周波数として、２００Ｈｚ以上８００Ｈｚ以下の周波数帯の音を低減するため、ベルマウスの管長の中心線を含む所定領域に貫通孔を設けることが好ましい。
【００１０】
前記貫通孔は、前記ベルマウスの側周壁の外側が吸音部材で覆われていることが好ましい。貫通孔を設けることによって貫通孔に風があたり、管共鳴とは異なる騒音が発生するおそれがあるが、貫通孔を吸音部材で覆うことにより、貫通孔に風が当たることにより生じる騒音も低減することができる。
【００１１】
前記貫通孔は、前記ベルマウスの軸方向と垂直な方向に沿って複数設けられていることが好ましく、複数の貫通孔から風が抜けることで、ベルマウス内の管共鳴によって生じる騒音をより効果的に防ぐことができる。
【００１２】
前記貫通孔を形成して相対する一対の壁面のうち、前記送風ファンの回転方向の下流側であって前記ベルマウスの側周壁の内側に配置する先端部には、丸みが設けられていることが好ましく、貫通孔に風が当たることで生じる騒音をより低減することができる。
【００１３】
また、貫通孔に風が当たることで生じる騒音を防ぐ他の態様としては、複数の前記貫通孔のうち少なくとも一部において、前記貫通孔を形成して相対する一対の壁面の高さは、前記送風ファンの回転方向下流側に配置する壁面の高さが、上流側に配置する壁面の高さよりも低くなる部分を備えるものを挙げることができる。
【発明の効果】
【００１４】
このような構成によれば、ベルマウスの管共鳴によって生じる騒音を低減することができる。
【図面の簡単な説明】
【００１５】
【図１】本発明に係る第１実施形態の空調室外機を示す斜視図。
【図２】本発明に係る第１実施形態のベルマウスを示す斜視図。
【図３】本発明に係る第１実施形態の空調室外機を示す正面図。
【図４】本発明に係る第１実施形態の空調室外機を示すＡＡ断面図。
【図５】本発明に係る第１実施形態の空調室外機を示す拡大断面図。
【図６】本発明に係る第１実施形態の空調室外機と、従来の空調室外機との作動音を計測したグラフ。
【図７】本発明に係る第２実施形態の空調室外機を示す拡大断面図。
【発明を実施するための形態】
【００１６】
以下に本発明に係る空調室外機の第１実施形態について説明する。
【００１７】
本発明の第１実施形態に係る空調室外機１は、図示しない空気調和機から送られてくる風を排気するためのものであって、図１に示すように、送風ファン２と、送風ファン２を収容するベルマウス３とを備える。
【００１８】
送風ファン２は、図示しない空気調和機から送られてきた空気を室外機の外部へと排気するためのものであって、略円柱形状の主軸２ａに複数の羽根車２ｂが主軸２ａを囲むように設けられている。
【００１９】
ベルマウス３は、空気調和機から送られてくる風を、送風ファン２に回転方向に合わせてその内部に周回させた後に送風ファン２へと送るものであって、図２に示すように、中空の円柱形状をなし、両端部に向かうに従ってその開口幅が広がるようになだらかにテーパが設けられた胴体部３ａと、中空部分を開口した状態で胴体部３ａの両端に一体的に接続される板部材３ｂとを備える。一方の板部材３ｂには、送風ファン２が固定され、ベルマウス３の胴体部３ａの中空部分に送風ファン２が収容される。他方の板部材３ｂは、空気調和機のブロワー等に接続され、空気調和機から送られてくる風が、ベルマウスの他方の板部材３ｂから胴体部３ａ、一方の板部材３ｂを介して送風ファン２へと送られる。
【００２０】
胴体部３ａには、図２に示すように、その軸方向と垂直な方向（周方向）に沿って複数の貫通孔４が設けられおり、該貫通孔４は、図３に示すように、胴体部３ａの側周壁の外側から胴体部３ａの円周に沿って配置される吸音部材５で覆われている。この吸音部材５としては、例えば不織布等を用いることができる。
【００２１】
この貫通孔４について以下に詳述する。
【００２２】
貫通孔４は、図２及び図４に示すように、胴体部３ａの周方向に沿って、胴体部３ａの軸方向と垂直な方向に等間隔に一列に設けられたものであって、互いに対向する側周壁にそれぞれ４つずつ設けられている。
【００２３】
また、図２及び図５に示すように、貫通孔４は平面視概略正方形状をなし、貫通孔４を形成して相対する一対の壁面であって、ベルマウス３の側周壁の内側に配置する先端部（送風ファン２の回転方向上流側及び下流側）には、丸みが設けられている。
【００２４】
そして、貫通孔４はベルマウス３内に生じる音の特定周波数によって定まる所定領域に設けられている。具体的には、特定周波数から１／４波長となる長さを計算し、ベルマウス３の管長のうち、その計算した長さと同じ位置（所定領域）を含むように設けられている。
【００２５】
ところで、この特定周波数は、ベルマウス３の管の長さや径等によってベルマウス３毎に異なる。ベルマウス３毎に特定周波数を特定する方法は以下の通りである。
まず、下記式より管共鳴によって生じる問題の周波数を計算する。
ｆ＝ｃ／Ｄ（ｆ：周波数、Ｄ：ベルマウス３の風向断面、ｃ：音速）
次に、この式で求めた周波数が、本当に管共鳴で生じている周波数か否かを実験結果又は解析結果等から確認する。そして、該周波数が管共鳴によって生じる音の周波数であれば、この周波数を特定周波数とする。
【００２６】
本実施形態のベルマウス３では、図３に示すように、２００Ｈｚ以上８００Ｈｚ以下の特定周波数帯の音、特に４００Ｈｚの音が管共鳴によって発生している周波数となる。そこで、この特定周波数の音（４００Ｈｚ）を低減するため、この特定周波数の１／４波長となる長さ（約０．３５ｍ）を計算する。そして、ベルマウス３の管長（０．７ｍ）のうち、先程計算した長さの位置、つまり、ベルマウス３の管長の中心線を含む領域に貫通孔４を設けている。
【００２７】
上述したように貫通孔４を設けた本実施形態の空調室外機１において、特定の周波数帯の音がどの程度低減されているかを実験した実験結果を図６に示す。
【００２８】
図６は、ベルマウス３に貫通孔４を設けた本実施形態にかかる空調室外機１と、ベルマウス３に貫通孔４を設けていない従来の空調室外機を作動させたときの音を計測したグラフであって、横軸は周波数、縦軸は音圧レベルを表す。
【００２９】
図６に示すように、ベルマウス３の貫通孔４を設けた本実施形態にかかる空調室外機は、ベルマウス３に貫通孔４を設けない従来の空調室外機に比べて、４００Ｈｚの周波数の音が低減されていることが分かる。
【００３０】
上述したように構成した第１実施形態に係る空調室外機１は、以下のような格別の効果を備える。
【００３１】
つまり、送風ファン２によってベルマウス３内を周回する風の一部が貫通孔４から抜けていくので、ベルマウス３内を周回する風の管共鳴によって生じる騒音を低減することができる。また、貫通孔４を設けることによって貫通孔４に風があたり、管共鳴とは異なる騒音が発生するおそれがあるが、貫通孔４を吸音部材５で覆うことにより、貫通孔４に風が当たることにより生じる騒音も低減することができる。
【００３２】
また、貫通孔４は、ベルマウス２の軸方向と垂直な方向に沿って複数設けられているので、複数の貫通孔４から風が抜けることで、ベルマウス３内の管共鳴によって生じる騒音をより効果的に防ぐことができる。
【００３３】
貫通孔４は、音の周波数によって定まる所定領域に設けられているので、ユーザが望む周波数帯の音を低減することができる。
【００３４】
さらに、貫通孔４を形成して相対する一対の壁面のうち、送風ファン２の回転方向の下流側であってベルマウス３の側周壁の内側に配置する先端部には、丸みが設けられているので、ベルマウス３内を周回する風が貫通孔４から抜ける際に、該先端部に当たることによる騒音を防止することができる。
【００３５】
次に、本発明に係る空調室外機の第２実施形態について説明する。
【００３６】
第２実施形態における空調室外機１は貫通孔１０の形状が第１実施形態と異なる。
なお、第１実施形態と同様の部分には同一の符号を付し、説明を省略する。
【００３７】
第２実施形態における空調室外機では、図７に示すように、貫通孔１０が、胴体部３ａの周方向に沿って、胴体部３ａの軸方向と垂直な方向に一列に設けられたものであって、互いに対向する側周壁にそれぞれ４つずつ設けられている。
【００３８】
なお、貫通孔１は、第１実施形態と同様にベルマウス３内の生じる音の特定周波数によって定まる所定領域に設けられており、具体的には、特定周波数から１／４波長となる長さを計算し、ベルマウス３の管長のうち、その計算した長さと同じ位置（所定領域）を含むように設けられている。
【００３９】
そして、ベルマウス３の側周壁は、貫通孔１０を形成して相対する一対の壁面１１を複数備える。この貫通孔１０を形成して相対する一対の壁面１１（１１ａ、１１ｂ、１１ｃ）はその高さが異なっている。つまり、例えば壁面１１ｂで説明すると、送風ファン２の回転方向の下流側に配置する壁面１１ｂ２の高さが、送風ファン２の回転方向の上流側に配置する壁面１１ｂ１の高さよりも低くなるように構成されている。なお、この高さとはベルマウス３の外側周壁から内側周壁までの距離のことをいう。
【００４０】
また、貫通孔１０を形成して相対する一対の壁面１１のベルマウス３の側周壁の内側に配置する端部には、丸みが設けられている。
【００４１】
そして、本実施形態の貫通孔１０は、胴体部３ａの側周壁の外側から胴体部３ａの円周に沿って吸音部材５で覆われていない。
【００４２】
上述したように構成した第２実施形態に係る空調室外機１は、貫通孔１０を形成して相対する一対の壁面１１の高さは、送風ファン２の回転方向下流側に配置する壁面の高さが、上流側に配置する壁面の高さよりも低くなるので、ベルマウス内を送風ファン２の回転方向に沿って回転する風が、壁面１１（１１ａ、１１ｂ、１１ｃ、１１ｄ）に当たることを防ぐことができる。そのため、貫通孔１０が胴体部３ａの側周壁の外側から胴体部３ａの円周に沿って吸音部材５で覆われていなくても、貫通孔１０で生じる騒音を低減することができる。また、壁面１１のベルマウス３の側周壁の内側に配置する先端部には、丸みが設けられているので、例え風が先端部に当たっても騒音が発生することを防ぐことができる。
【００４３】
なお、本発明は上記実施形態に限られたものではない。
【００４４】
例えば、上記実施形態では、貫通孔を胴体部の円周方向に沿って、胴体部の軸方向と垂直な方向に一列に設けているが、一列に限られず２列等の複数列に設けてもよい。
【００４５】
また、例えば上記実施形態では、貫通孔は平面視概略正方形状をなすものであったが、平面視概略矩形状をなすようなものであってもよい。
【００４６】
さらに、例えば貫通孔を、ベルマウス内を旋回する風の流れ方向に沿って、例えば螺旋形状に形成してもよい。
【００４７】
本発明は、その趣旨を逸脱しない範囲で種々の変形が可能である。
【符号の説明】
【００４８】
１・・・空調室外機
２・・・送風ファン
３・・・ベルマウス
４・・・貫通孔
５・・・吸音部材
【図１】
2015121345.tif 000003
【図２】
2015121345.tif 000004
【図３】
2015121345.tif 000005
【図４】
2015121345.tif 000006
【図５】
2015121345.tif 000007
【図６】
2015121345.tif 000008
【図７】
2015121345.tif 000009